(57)【要約】      （修正有）【課題】棒状の物品を把持して振る場合に手からすり抜けて放り投げることがない、後付け可能なグリップ補助具を提供する。【解決手段】弾性材料で一体成形されたグリップ補助具１のリング状の装着部２をペンライト４のグリップ部４１に挿通し、弾性復元力により装着部の内面をグリップ部に密着させる。ペンライト４の使用者は、ストラップ４３を手首に通してグリップ部を把持する際に、指係止部３に指（通常は人差し指又は中指）を通す。使用者はペンライトを振って応援をする際に、指係止部に通した状態でペンライトを把持するので、ペンライトを滑り落としたり、放り投げたりすることを未然に防ぐことができる。【選択図】図２
0003209604.tif 000002
【実用新案登録請求の範囲】
【請求項１】
物品のグリップ部に装着される装着部と、
前記物品を把持する使用者の指を係止する指係止部と、
を有することを特徴とするグリップ補助具。
【請求項２】
前記装着部はリング状であることを特徴とする請求項１記載のグリップ補助具。
【請求項３】
前記指係止部はリング状であることを特徴とする請求項１又は２記載のグリップ補助具。
【請求項４】
前記装着部及び前記指係止部が弾性材料で一体的に形成されていることを特徴とする請求項１〜３の何れか一項に記載のグリップ補助具。
【請求項５】
前記指係止部は前記装着部に直角の向きに形成されたことを特徴とする請求項１〜４の何れか一項に記載のグリップ補助具。
【考案の詳細な説明】
【技術分野】
【０００１】
本考案は、ペンライトなどの脱落を防止するグリップ補助具に関するものである。
【背景技術】
【０００２】
イベントやコンサートにおいて、観客が手にペンライトやサイリュウム等の棒状のライト（コンサートライトともいう）を持ち発光させて、お気に入りのチームやアーティストを応援することは昨今広く浸透している。一般にペンライトとは、電池式でＬＥＤ等が発光するライトのことをいい、サイリュウム（サイリウム、ケミカルライトともいう）とは、棒状の本体を折り曲げると内部のアンプルが割れ、２つの液体が混合することで化学発光する化学発光体のことをいう。サイリュウムは１本あたりの単価が安いが、構造上１回限りの使い捨てのものとなる。一方、ペンライトは、電池を交換することで継続使用が可能であるとともに、電子制御されたＬＥＤ等を発光させるライトであることから、発光色や照度などその明かりに関して多様なコントロールをすることができる。ペンライトはデザインの自由度が高く、イベント・コンサートごとの趣旨や企画に合わせたものや、お気に入りのアーティスト単位のもの等、バリエーションのある商品開発がおこなわれている。ペンライトはサイリュウムに比べて大きさも大きく高価なものであるが、それが却って使用者の購買意欲をくすぐる結果を生んでいる。
【０００３】
ペンライトにしてもサイリュウムにしても、棒状であり、柄のグリップ部分を手で握って使用するものであるが、応援の際に大きく激しく振ると手から滑り落ちてしまうことがある。このことは振ったコンサートライトが手から離れて放り投げられ、周りに居る観客に当たる等の危害を及ぼすおそれがあるだけでなく、高価なペンライトの故障や破損を招くことになる。
【０００４】
これらの問題を防止するべく、特許文献１に示されているように、通常ペンライトにはストラップが附属し本体につながっている。使用者は手首にストラップをかけることでペンライトの脱落を防止するようにしている。
しかし、ストラップをかけていたとしても、ペンライトを持って激しく腕を揺らしたり、振ったりする、熱を帯びた応援になると、ペンライトが手からすり抜けて勢いよく放り投げられてしまう。
【０００５】
この改善策として、非特許文献１に示すようなコンサートライトが知られている。このコンサートライトはサイリュウムに該当するものであるが、発光する液体が収納された容器と一体的に握部が設けられている。握部の一部には環状の指を通すことができる穴が形成されており、使用者は穴に指を通すことにより、手からコンサートライトが滑り抜けることを防止できる。
しかし、指を通す穴は製造時に本体と一体的に形成されているため、既に流通している既存のペンライトの脱落防止に利用することはできない。
【先行技術文献】
【特許文献】
【０００６】
【特許文献１】登録実用新案第３１９１８２９号公報
【非特許文献】
【０００７】
【非特許文献１】意匠登録第１４９２４３４号公報
【考案の概要】
【考案が解決しようとする課題】
【０００８】
そこで、本考案の目的は、ペンライト等の既存の棒状物品を振った際に手からすり抜けてしまうことを防止できる、後付け可能なグリップ補助具を提供することにある。
【課題を解決するための手段】
【０００９】
上記課題を解決するために、本考案のグリップ補助具は、物品のグリップ部に装着される装着部と、物品を把持するために使用者の指を係止する指係止部と、を有することを特徴とする。
【００１０】
ここで、装着部及び指係止部はリング状とすることが好ましい。さらに、装着部及び指係止部は弾性材料で一体的に形成され、指係止部は装着部に直角の向きに形成されることが好ましい。
【考案の効果】
【００１１】
本考案のグリップ補助具によれば、棒状物品のグリップ部分に装着部を取り付け、指係止部に指を掛けて使用することから、既存の棒状物品にグリップ補助具の後付けで容易に装着できる。また、棒状物品を振ったりする際には、手による把持に加えて指を係止しているため、棒状物品をより一層強く手中に保持することができるという利点がある。
【図面の簡単な説明】
【００１２】
【図１】図１は、本考案の一実施形態を示すグリップ補助具を示す図である。（ａ）は、上方から見た斜視図であり、（ｂ）は、平面図である。
【図２】図２は、本考案の一実施形態を示すグリップ補助具をペンライトに装着した状態を示す説明図である。
【図３】図３は、本考案の一実施形態を示すグリップ補助具の使用状態を示す説明図である。
【図４】図４は、本考案の変更例を示す斜視図である。
【図５】図５は、本考案の別の変更例を示す斜視図である。
【考案を実施するための形態】
【００１３】
以下、本考案の一実施形態を図面に基づいて説明する。図１に示すようにグリップ補助具１は、ペンライト４（図２参照）のグリップ部４１に装着されるリング状の装着部２と使用者の指を入れて係止するリング状の指係止部３から構成されている。このグリップ補助具１は、弾性材料により一体的に成形されている。ここでいう弾性材料は、シリコンゴム等の合成樹脂が好ましい。装着部２のリングの直径はグリップ部４１の直径より小さい。指係止部３は使用者の指が通せる程度の直径があればよいが、指の太さより小さな直径であれば、本体の弾性復元力により指に密着して固定される。指係止部３は指を通しやすくするために装着部２に対して直角の向きに形成されている。
【００１４】
図２は、グリップ補助具１をペンライト４に装着した状態を示す。通常ペンライト４は、使用者が手で握るグリップ部４１と、点灯するライト部４２と、脱落防止のために使用するストラップ４３から構成される。グリップ補助具１は、リング状の装着部２をその弾性に抗して広げてペンライト４のグリップ部４１に挿通し、弾性復元力により装着部２の内面をグリップ部４１に密着させることで、グリップ部４１に固定される。ねじ等の固定具を使用していないことから、グリップ補助具１は着脱自在であり、別のペンライトへの転用も可能である。
【００１５】
図３は、ペンライト４にグリップ補助具１を装着して使用している状態を示す。ペンライト４の使用者５は、ストラップ４３を手首に通してグリップ部４１を把持する際に、指係止部３に指（通常は人差し指又は中指）を通す。使用者５はペンライト４を振って応援をする際には、使用者５の指が指係止部３に係止された状態でペンライト４が手に把持されるので、ペンライト４を滑り落としたり、放り投げたりすることを未然に防ぐことができる。
【００１６】
本考案は上記実施形態に限定されるものではなく、考案の趣旨を逸脱しない範囲で、各部の構成を適宜に変更して実施することも可能である。
例えば、図４（ａ）に示すように、指係止部３に装飾３１を設け、グリップ補助具１を使用している状態で外部より装飾３１が見られるようにすることができる。また、図４（ｂ）に示すように、装着部２にロゴ２１をエンボス加工やデボス加工により形成することができる。これらにより、デザインにバリエーションを持たせることができる。
【００１７】
また、図５に示すように、装着部２をリング状ではなくＵ字又はＣ字状にすることでペンライト４のグリップ部４１への着脱を容易にする形状とすることもできる。さらに、指係止部３についても、リング状ではなくＵ字状又はＣ字状にすることで、人差し指や中指が係止できると共に、指を自由に動かせる。
【符号の説明】
【００１８】
１    グリップ補助具
２    装着部
２１  ロゴ
３    指係止部
３１  装飾
４    ペンライト
４１  グリップ部
４２  ライト部
４３  ストラップ
５    使用者
【図１】
0003209604.tif 000003
【図２】
0003209604.tif 000004
【図３】
0003209604.tif 000005
【図４】
0003209604.tif 000006
【図５】
0003209604.tif 000007